(57)【要約】【課題】回転指紋の入力を容易にする指紋入力装置を提供する。【解決手段】変形可能なシート２と、前記シートに並べられた複数の指紋センサ１と、前記シートと本体４との間に配設された弾性を有する支持部材３とを備える。指をシート２に置くと支持部材３が伸張して、シート２が指を包むようになる。【選択図】        図１
2004234493.tif 000002
【特許請求の範囲】
【請求項１】
変形可能なシートと、
前記シートに並べられた複数の指紋センサと、
前記シートと本体との間に配設された弾性を有する支持部材と、
を備えることを特徴とする指紋入力装置。
【請求項２】
請求項１に記載の指紋入力装置において、
各指紋センサは複数の画素を有することを特徴とする指紋入力装置。
【請求項３】
請求項１に記載の指紋入力装置において、
各指紋センサは１つの画素を有することを特徴とする指紋入力装置。
【請求項４】
請求項１に記載の指紋入力装置において、
前記シートは、指が置かれた状態で、前記指紋センサが指の腹と両側面の指紋を撮像できるように変形することを特徴とする指紋入力装置。
【請求項５】
請求項１に記載の指紋入力装置において、
前記シートは、少なくとも指が置かれた状態で指面に沿って半円筒状となることを特徴とする指紋入力装置。
【請求項６】
請求項１に記載の指紋入力装置において、
前記シートは、少なくとも指が入れられた状態で指面に沿って円筒状となることを特徴とする指紋入力装置。
【請求項７】
請求項１に記載の指紋入力装置において、
前記支持部材は、バネ、ダンパ、空気袋及びウレタンマットのうちの何れかであることを特徴とする指紋入力装置。
【発明の詳細な説明】
【０００１】
【発明の属する技術分野】
本発明は、人の指紋を入力するための指紋入力装置に関する。
【０００２】
【従来の技術】
図８、９は、従来の指紋入力装置を示す図である。図９は、図８のＣ−Ｃ線断面図である。指紋入力部分１上に指を側面から押し当て、回転させながら、指の腹、指の反対側面の順で指紋を採取する。
【０００３】
図９を参照すると、従来の指紋入力装置は、本体１１にはめ込まれたプリズム８上に指７を押圧しながら回転させ、その像の指が接している領域を、カメラ９で取り込み、回転指紋の像を採取する。
【０００４】
なお、本願発明に関連した先行技術文献としては、以下のものがある。
【０００５】
【特許文献１】
特開平０１−０１３６７７号公報
【特許文献２】
特開平０３−１５４１８２号公報
【特許文献３】
特開平０６−１７６１３７号公報
【特許文献４】
特開平０６−２８２６３５号公報
【特許文献５】
特許第２５７９３７５号掲載公報
【特許文献６】
特公平０７−０６２８６５号公報
【０００６】
【発明が解決しようとする課題】
しかし、この従来技術は、次のような問題点を有していた。すなわち、回転指紋を入力する際、指を回転させながら入力しなければならないため、指紋入力者が、回転指紋の入力に不慣れな場合、回転指紋の入力が難しく、入力された指紋が歪むことである。
【０００７】
本発明は、回転指紋の入力を容易にする指紋入力装置を提供することを目的とする。
【０００８】
【課題を解決するための手段】
本発明によれば、変形可能なシートと、前記シートに並べられた複数の指紋センサと、前記シートと本体との間に配設された弾性を有する支持部材と、を備えることを特徴とする指紋入力装置が提供される。
【０００９】
上記の指紋入力装置において、各指紋センサは複数の画素を有していてもよい。
【００１０】
上記の指紋入力装置において、各指紋センサは１つの画素を有していてもよい。
【００１１】
上記の指紋入力装置において、前記シートは、指が置かれた状態で、前記指紋センサが指の腹と両側面の指紋を撮像できるように変形してもよい。
【００１２】
上記の指紋入力装置において、前記シートは、少なくとも指が置かれた状態で指面に沿って半円筒状となってもよい。
【００１３】
上記の指紋入力装置において、前記シートは、少なくとも指が入れられた状態で指面に沿って円筒状となってもよい。
【００１４】
上記の指紋入力装置において、前記支持部材は、バネ、ダンパ、空気袋及びウレタンマットのうちの何れかであってもよい。
【００１５】
【発明の実施の形態】
本発明は、入力された回転指紋を照合するシステムに用いられる指紋入力装置において、指を動かさずに指の腹と両側面の指紋からなる回転指紋を取得できるものである。
【００１６】
［実施形態１］
図１を参照すると、本実施形態による指紋入力装置は、半円柱状の凹部を有する本体４、本体４の凹部に凹部と離間して配設される半円筒状の変形可能なシート基板２、そのシート基板２の上に配置された複数の指紋センサ１、本体４とシート基板２を接合する弾性を有する支持部材３を備える。また、指紋入力装置は、指紋センサ１から取得される指紋データを合成して、１つの指の指紋情報を取得するマイクロコンピュータを備える。
【００１７】
本体は１は、机等の上に置かれてもよいが、パーソナルコンピュータやカード等に載置されてもよい。
【００１８】
指紋センサ１の配置は、指を置いたときに指のカーブに合わせてなめらかに変形し、かつ、変形しても指紋センサ１同士が接触しないようにする。また、指紋センサの大きさも、指を置いたときに指の表面にまんべんなく接触するような大きさにする。指紋センサ１の画素数は複数でもよいが、可能ならば、１つであってもよい。
【００１９】
上述したように、指紋センサ１は、変形しても指紋センサ同士が接触しないように配置するが、その限度において、各指紋センサ１間は、詰めて配置し、各指紋センサ１間にできる指紋入力不可領域を小さくする。シート基板２の端部間が横方向に伸縮するように、本体４とシート基板２の４つの端部を伸縮する支持部材３（ばね、ダンパ等）で接合する。
【００２０】
このような構造にすることにより、シート基板２と指紋センサ１は、指を包み込むように指に密着し、指の腹部の指紋だけでなく、側面部分の指紋までも簡単に採取することができるようになる。
【００２１】
図２は、そのＡ−Ａ線に沿った断面図である。
【００２２】
図２のシート基板２の曲げ具合は、人の指の平均的な形状とするが、支持部材３で引っ張られた状態では、シート基板２の両端間の距離が人の指の平均的な指の幅よりも広くなるようにする。
【００２３】
また、支持部材３の引っ張り力は、人が指を置く程度の力で、指紋センサ１が指の腹又は側面に密着する位の強さとする。
【００２４】
図３は、実施形態を示すブロック図である。図３のマイクロコンピュータ５は、全ての指紋センサ１とメモリ６に接続される。
【００２５】
マイクロコンピュータ５は、各指紋センサ１から読み出した指紋情報をメモリ６へ格納し、それらの情報から１指分の指紋情報を合成する。
【００２６】
次に、指紋入力装置の動作について、図４を参照して説明する。図４のように指紋を入力するために、シート基板２に配置された指紋センサ１上に指を置く。
【００２７】
指を置く前において、シート基板２は、シート基板２の両端間距離が指の幅よりも大きくなるように開いているので、指が置きやすくなっている。
【００２８】
指を指紋入力装置へ置き押圧すると、指の押圧力に応じて、支持部材３が伸長し、シート基板２の両端間距離が短くなり、指紋センサ１を配置したシート基板２が指を包むように変形する。すると、指の腹だけでなく、指の両側面にも指紋センサ１が接触することになり、指の腹の指紋と指の両側面の指紋を同時に取得することが可能となる。指の腹だけでなく両側面の指紋を採取することにより、指の腹の指紋が消滅している指紋でも、指の両側面の指紋で識別可能となる可能性が高くなる。
【００２９】
指紋センサ１が指紋情報を入力したら、全ての指紋センサ１に接続したマイクロコンピュータ５が、各指紋センサ１から指紋情報を読み出す。
【００３０】
そして、マイクロコンピュータ５は、各指紋センサ１の配置位置を考慮し、各指紋センサ１から読み出した指紋情報を、メモリ６上に１つの指の指紋情報として合成する。マイクロコンピュータ５は、この処理を行うために、各指紋センサ１を一意に決定する番号を保持しており、任意の指紋センサを特定することができる。
【００３１】
［実施形態２］
次に、本発明の他の実施形態について図面を参照して詳細に説明する。図５を参照すると、本体４内部に、指紋センサ１を搭載した袋状のシート基板２を変形可能な支持部材３（空気袋、ウレタンマット等）で固定した構造になっている。図６、７は、図５のＢ−Ｂ線断面図である。図６は、指７を挿入する前の状態を示し、図７は、指７を挿入した状態を示す。挿入した状態では、シート基板２は指を包む。本実施形態の場合は、空気袋に空気を注入することによって指紋センサ１を指に密着させ、指の両側面の指紋を採取することが可能となる。
【００３２】
【発明の効果】
第１の効果は、指を回転させなくても、回転指紋が入力できることである。
【００３３】
このため、回転指紋の入力に不慣れな指紋入力者でも、簡単に回転指紋を入力できる。
【００３４】
その理由は、指紋センサを載置したシート基板を指の形状と押圧力に合わせて、変形させ、指の腹の指紋と指の側面の指紋を同時に入力するためである。
【００３５】
第２の効果は、平面的な指紋センサを用いた照合装置よりも、照合性能を向上することができることである。
【００３６】
その理由は、指の腹の指紋だけでなく、指の両側面の指紋も入力できるので、指紋照合に、指の両側面にある指紋情報も使用することができるためである。
【００３７】
また、指の腹の指紋だけでは照合しづらい指でも、指の両側面にある指紋情報を使用することによって、指紋照合が行いやすくなるためである。
【図面の簡単な説明】
【図１】本発明の実施形態１による指紋入力装置の構造を示す斜視図である。
【図２】本発明の実施形態１による指紋入力装置の図１の線Ａ−Ａに沿った断面図である。
【図３】本発明の実施形態１による指紋入力装置の電気的な構成を示すブロック図である。
【図４】本発明の実施形態１による指紋入力装置の使用状態を示す斜視図である。
【図５】本発明の実施形態２による指紋入力装置の構造を示す斜視図である。
【図６】本発明の実施形態２による指紋入力装置の指を挿入する前の断面図である。
【図７】本発明の実施形態２による指紋入力装置の指を挿入した状態での断面図である。
【図８】従来例による指紋入力装置を用いた指紋入力方法を説明するための図である。
【図９】従来例による指紋入力装置の構造を示す断面図である。
【符号の説明】
１  指紋センサ
２  シート基板
３  支持部材
４  本体
５  マイクロコンピュータ
６  メモリ
【図１】
2004234493.tif 000003
【図２】
2004234493.tif 000004
【図３】
2004234493.tif 000005
【図４】
2004234493.tif 000006
【図５】
2004234493.tif 000007
【図６】
2004234493.tif 000008
【図７】
2004234493.tif 000009
【図８】
2004234493.tif 000010
【図９】
2004234493.tif 000011